(57)【要約】  本発明の走査型の蛍光Ｘ線分析装置は、標準試料（１４）の定性分析結果および半定量分析結果に基づいて、あらかじめ設定された試料構成元素以外の新規検出元素について、分析対象元素の分析値に対する蛍光Ｘ線の吸収励起影響度と、分析対象元素の分析線に対する妨害線の重なり影響度とから、分析対象元素として追加すべきか否かを判定する定量分析条件設定手段（１３）を備える。
2017038701.tif 000002
【特許請求の範囲】
【請求項１】
試料に１次Ｘ線を照射して発生する２次Ｘ線の強度を測定する走査型の蛍光Ｘ線分析装置であって、
分析対象試料に対応する検量線を作成するための複数の標準試料と、
定量分析条件として、あらかじめ、分析対象試料における分析対象元素ならびに標準試料における試料構成元素およびその含有率が設定される定量分析条件設定手段とを備え、
前記定量分析条件設定手段が、
標準試料について定性分析および定性分析結果に基づく定量分析である半定量分析を行い、あらかじめ設定された試料構成元素以外の元素を新規検出元素として検出し、
新規検出元素およびあらかじめ設定された試料構成元素についてファンダメンタルパラメーター法により蛍光Ｘ線の吸収励起に関する理論マトリックス補正係数を計算し、その理論マトリックス補正係数、新規検出元素の半定量分析値およびあらかじめ設定された試料構成元素の含有率に基づいて、分析対象元素の分析値に対する新規検出元素による蛍光Ｘ線の吸収励起の影響度を吸収励起影響度として計算して対応する所定の基準値と比較し、
あらかじめ記憶した重なり補正テーブルから分析対象元素の分析線に対する新規検出元素による妨害線の重なり補正係数を呼び出し、その重なり補正係数、新規検出元素の半定量分析値およびあらかじめ設定された試料構成元素の含有率に基づいて、分析対象元素の分析線に対する新規検出元素による妨害線の重なりの影響度を重なり影響度として計算して対応する所定の基準値と比較し、
前記吸収励起影響度および前記重なり影響度の少なくとも一方が、対応する所定の基準値よりも大きい場合に、定量分析条件として、当該新規検出元素を分析対象試料における分析対象元素として追加する蛍光Ｘ線分析装置。
【請求項２】
請求項１に記載の蛍光Ｘ線分析装置において、
前記定量分析条件設定手段が、
新規検出元素の半定量分析値が所定の含有率よりも大きい場合に、定量分析条件として、当該新規検出元素を分析対象試料における分析対象元素として追加することなく、残分元素として設定する蛍光Ｘ線分析装置。
【請求項３】
請求項１に記載の蛍光Ｘ線分析装置において、
前記定量分析条件設定手段が、
分析対象試料における分析対象元素として追加する新規検出元素については、定量分析条件として、あらかじめ記憶した装置感度定数を用いるファンダメンタルパラメーター法による定量演算条件を設定する蛍光Ｘ線分析装置。
【発明の詳細な説明】
【関連出願】
【０００１】
本出願は、２０１５年８月２８日出願の特願２０１５−１６９５４３の優先権を主張するものであり、それらの全体を参照により本願の一部をなすものとして引用する。
【技術分野】
【０００２】
本発明は、試料に１次Ｘ線を照射して発生する２次Ｘ線の強度を測定する走査型の蛍光Ｘ線分析装置に関する。
【背景技術】
【０００３】
従来、試料に１次Ｘ線を照射して、試料から発生する蛍光Ｘ線等の２次Ｘ線の強度を測定し、その測定強度に基づいて、例えば試料における元素の含有率について定量分析を行う走査型の蛍光Ｘ線分析装置がある。このような装置においては、分析対象試料に対応する標準試料が備えられるとともに、定量分析条件として、あらかじめ、分析対象試料における分析対象元素ならびに標準試料における試料構成元素およびその含有率（化学分析値）が設定されており、標準試料を測定して検量線を作成し、分析対象試料の定量分析を行う。【０００４】
定量分析条件の設定に関連し、品種記憶手段、半定量分析手段、品種判定手段および定量分析手段を備えることにより、試料について、半定量分析結果に基づく試料の品種の判定、その判定した品種に適切な分析条件での定量分析が、自動的に行われる蛍光Ｘ線分析装置がある（特許文献１参照）。また、検量線を補正するための理論マトリックス補正係数を計算するにあたり、試料に対して適切な補正モデルが設定される蛍光Ｘ線分析装置がある（特許文献２参照）。これらの装置によれば、試料の品種に応じて定量分析条件の選択が自動的になされるので、熟練していない操作者でも正確な分析ができる。
【先行技術文献】
【特許文献】
【０００５】
【特許文献１】特開２００２−３４０８２２号公報
【特許文献２】特開２０１３−２０５０８０号公報
【発明の概要】
【発明が解決しようとする課題】
【０００６】
しかし、標準試料に含有率が不明な元素が含まれていて、しかもその元素が含まれることで分析対象元素の分析が影響を受けて誤差を生じることがあり、そのような場合には、上述のような蛍光Ｘ線分析装置を用いても、試料の品種に応じた定量分析条件をあらかじめ設定する際に標準試料において含有率が不明な元素については考慮されていないことから、分析対象元素について正確な分析ができない。【０００７】
本発明は、このような問題に鑑みてなされたもので、標準試料に含有率が不明な元素が含まれている場合でも、定量分析条件において分析対象元素の適切な追加が自動的になされ、正確な分析ができる走査型の蛍光Ｘ線分析装置を提供することを目的とする。
【課題を解決するための手段】
【０００８】
前記目的を達成するために、本発明は、試料に１次Ｘ線を照射して発生する２次Ｘ線の強度を測定する走査型の蛍光Ｘ線分析装置であって、分析対象試料に対応する検量線を作成するための複数の標準試料と、定量分析条件として、あらかじめ、分析対象試料における分析対象元素ならびに標準試料における試料構成元素およびその含有率が設定される定量分析条件設定手段とを備えている。【０００９】
そして、前記定量分析条件設定手段が、標準試料について定性分析および定性分析結果に基づく定量分析である半定量分析を行い、あらかじめ設定された試料構成元素以外の元素を新規検出元素として検出し、新規検出元素およびあらかじめ設定された試料構成元素についてファンダメンタルパラメーター法（以下、ＦＰ法ともいう）により蛍光Ｘ線の吸収励起に関する理論マトリックス補正係数を計算し、その理論マトリックス補正係数、新規検出元素の半定量分析値およびあらかじめ設定された試料構成元素の含有率に基づいて、分析対象元素の分析値に対する新規検出元素による蛍光Ｘ線の吸収励起の影響度を吸収励起影響度として計算して対応する所定の基準値と比較する。【００１０】
さらに、前記定量分析条件設定手段が、あらかじめ記憶した重なり補正テーブルから分析対象元素の分析線に対する新規検出元素による妨害線の重なり補正係数を呼び出し、その重なり補正係数、新規検出元素の半定量分析値およびあらかじめ設定された試料構成元素の含有率に基づいて、分析対象元素の分析線に対する新規検出元素による妨害線の重なりの影響度を重なり影響度として計算して対応する所定の基準値と比較し、前記吸収励起影響度および前記重なり影響度の少なくとも一方が、対応する所定の基準値よりも大きい場合に、定量分析条件として、当該新規検出元素を分析対象試料における分析対象元素として追加する。【００１１】
本発明の蛍光Ｘ線分光装置によれば、標準試料の定性分析結果および半定量分析結果に基づいて、あらかじめ設定された試料構成元素以外の新規検出元素について、分析対象元素の分析値に対する蛍光Ｘ線の吸収励起影響度と、分析対象元素の分析線に対する妨害線の重なり影響度とから、分析対象元素として追加すべきか否かを判定する定量分析条件設定手段を備えているので、標準試料に含有率が不明な元素が含まれている場合でも、定量分析条件において分析対象元素の適切な追加が自動的になされ、正確な分析ができる。【００１２】
本発明の蛍光Ｘ線分光装置においては、前記定量分析条件設定手段が、新規検出元素の半定量分析値が所定の含有率よりも大きい場合に、定量分析条件として、当該新規検出元素を分析対象試料における分析対象元素として追加することなく、残分元素として設定することが好ましい。標準試料が例えば鉄鋼である場合、主成分である鉄は残分元素とすべきであって分析対象元素とすべきでない元素であるが、その鉄が新規検出元素として検出され得るので、この好ましい構成により、そのような新規検出元素を半定量分析値に基づいて分析対象試料における分析対象元素として追加することなく、残分元素として設定する。【００１３】
本発明の蛍光Ｘ線分光装置においては、前記定量分析条件設定手段が、分析対象試料における分析対象元素として追加する新規検出元素については、定量分析条件として、あらかじめ記憶した装置感度定数を用いるファンダメンタルパラメーター法による定量演算条件を設定することが好ましい。分析対象試料における分析対象元素として追加する新規検出元素についての定量演算方法としては、標準試料における追加した分析対象元素の含有率として半定量分析値を設定する検量線法もあるが、ゴニオメータを走査させて測定したＸ線強度に基づく半定量分析値の精度が今一つ十分でないところ、この好ましい構成によれば、あらかじめ記憶した装置感度定数を用いるファンダメンタルパラメーター法が適用され、ゴニオメータを固定して測定したＸ線強度に基づく、より精度の高い定量分析値を用いるので、全体としてより正確な分析ができる。【００１４】
請求の範囲および／または明細書および／または図面に開示された少なくとも２つの構成のどのような組合せも、本発明に含まれる。特に、請求の範囲の各請求項の２つ以上のどのような組合せも、本発明に含まれる。
【図面の簡単な説明】
【００１５】
この発明は、添付の図面を参考にした以下の好適な実施形態の説明からより明瞭に理解されるであろう。しかしながら、実施形態および図面は単なる図示および説明のためのものであり、この発明の範囲を定めるために利用されるべきでない。この発明の範囲は添付の請求の範囲によって定まる。添付図面において、複数の図面における同一の部品番号は、同一部分を示す。
【図１】本発明の一実施形態の蛍光Ｘ線分析装置を示す概略図である。
【図２】同蛍光Ｘ線分析装置の動作を示すフローチャートである。
【発明を実施するための形態】
【００１６】
以下、本発明の一実施形態の装置について、図にしたがって説明する。図１に示すように、この装置は、試料１，１４に１次Ｘ線３を照射して発生する２次Ｘ線５の強度を測定する走査型の蛍光Ｘ線分析装置であって、試料１，１４が載置される試料台２と、試料１，１４に１次Ｘ線３を照射するＸ線管等のＸ線源４と、試料１，１４から発生する蛍光Ｘ線等の２次Ｘ線５を分光する分光素子６と、その分光素子６で分光された２次Ｘ線７が入射され、その強度を検出する検出器８とを備えている。検出器８の出力は、図示しない増幅器、波高分析器、計数手段などを経て、装置全体を制御する制御手段１１に入力される。
【００１７】
この装置は、波長分散型でかつ走査型の蛍光Ｘ線分析装置であり、検出器８に入射する２次Ｘ線７の波長が変化するように、分光素子６と検出器８を連動させる連動手段１０、すなわちいわゆるゴニオメータを備えている。２次Ｘ線５がある入射角θで分光素子６へ入射すると、その２次Ｘ線５の延長線９と分光素子６で分光（回折）された２次Ｘ線７は入射角θの２倍の分光角２θをなすが、連動手段１０は、分光角２θを変化させて分光される２次Ｘ線７の波長を変化させつつ、その分光された２次Ｘ線７が検出器８に入射するように、分光素子６を、その表面の中心を通る紙面に垂直な軸Ｏを中心に回転させ、その回転角の２倍だけ、検出器８を、軸Ｏを中心に円１２に沿って回転させる。分光角２θの値（２θ角度）は、連動手段１０から制御手段１１に入力される。
【００１８】
この装置は、分析対象試料１に対応する検量線を作成するための、組成が相異なる複数の標準試料１４を備えるとともに、定量分析条件として、あらかじめ、分析対象試料１における分析対象元素ならびに各標準試料１４における試料構成元素およびその含有率が設定される定量分析条件設定手段１３を制御手段１１の一部として備えている。なお、分析対象試料１と標準試料１４とを合わせて試料１，１４という。
【００１９】
定量分析条件設定手段１３は、各標準試料１４について定性分析および定性分析結果に基づく定量分析である半定量分析を行い、あらかじめ設定された試料構成元素以外の元素を新規検出元素として検出する。ここで、定性分析とは、所定の標準的な分析条件で広い波長範囲において２次Ｘ線５の強度を測定してスペクトルを得て、ピークの同定解析を行う分析のことをいい、例えば、ゴニオメータ１０を走査させてＦからＵまで全元素のスペクトル測定を行い、測定したスペクトルから検出されたピークの同定解析を行う。半定量分析とは、定性分析で測定したＸ線強度に基づいて、各元素の含有率を定量する分析のことをいう。定量分析とは、ゴニオメータ１０を固定して測定したＸ線強度に基づき、分析対象試料１に対応した検量線を用いて、またはあらかじめ記憶した装置感度定数を用いるファンダメンタルパラメーター法により、各元素の含有率を定量する分析のことをいう。
【００２０】
また、定量分析条件設定手段１３は、新規検出元素およびあらかじめ設定された試料構成元素についてファンダメンタルパラメーター法により蛍光Ｘ線の吸収励起に関する理論マトリックス補正係数を計算し、その理論マトリックス補正係数、新規検出元素の半定量分析値およびあらかじめ設定された試料構成元素の含有率に基づいて、分析対象元素の分析値に対する新規検出元素による蛍光Ｘ線の吸収励起の影響度を吸収励起影響度として計算して対応する所定の基準値と比較する。
【００２１】
さらに、定量分析条件設定手段１３は、あらかじめ記憶した重なり補正テーブルから分析対象元素の分析線に対する新規検出元素による妨害線の重なり補正係数を呼び出し、その重なり補正係数、新規検出元素の半定量分析値およびあらかじめ設定された試料構成元素の含有率に基づいて、分析対象元素の分析線に対する新規検出元素による妨害線の重なりの影響度を重なり影響度として計算して対応する所定の基準値と比較する。
【００２２】
そして、定量分析条件設定手段１３は、前記吸収励起影響度および前記重なり影響度の少なくとも一方が、対応する所定の基準値よりも大きい場合に、定量分析条件として、当該新規検出元素を分析対象試料１における分析対象元素として追加する。
【００２３】
さらにまた、本発明の蛍光Ｘ線分析装置としては必須ではないが、本実施形態の蛍光Ｘ線分析装置では、定量分析条件設定手段１３が、新規検出元素の半定量分析値が所定の含有率よりも大きい場合に、定量分析条件として、当該新規検出元素を分析対象試料１における分析対象元素として追加することなく、残分元素として設定する。
【００２４】
さらにまた、本発明の蛍光Ｘ線分析装置としては必須ではないが、本実施形態の蛍光Ｘ線分析装置では、定量分析条件設定手段１３が、分析対象試料１における分析対象元素として追加する新規検出元素については、定量分析条件として、あらかじめ記憶した装置感度定数を用いるファンダメンタルパラメーター法による定量演算条件を設定する。
【００２５】
本実施形態の蛍光Ｘ線分析装置が備える定量分析条件設定手段１３は、具体的には、図２のフローチャートに示したように動作する。なお、図２において、ＹＥＳはＹ、ＮＯはＮと略記している。また、定量分析条件設定手段１３には、定量分析条件として、あらかじめ、分析対象試料１における分析対象元素、各標準試料１４における試料構成元素（分析対象試料１における分析対象元素を含む）およびその含有率、可能性のある分析線と妨害線の組み合わせごとに求められた理論強度による重なり補正係数の表である重なり補正テーブル、代表的な元素について純物質などを測定した測定強度とＦＰ法による理論強度の比から求められた装置感度定数のライブラリである感度ライブラリなどが設定されている。
【００２６】
まず、ステップＳ１において、各標準試料１４について定性分析および定性分析結果に基づく定量分析である半定量分析を行う。次に、ステップＳ２において、半定量分析結果においてあらかじめ設定された試料構成元素以外の元素を検出していなければ、動作を終了し、検出していれば、その単数または複数の元素を新規検出元素として、ステップＳ３に進む。
【００２７】
次に、ステップＳ３において、新規検出元素のうち、最大含有率の元素の半定量分析値が所定の含有率（例えば５０％）よりも大きいか否かを判定する。これは、最大含有率の新規検出元素が主成分であるか否かの判定である。最大含有率の半定量分析値が所定の含有率以下である場合には、後述するステップＳ６に進み、最大含有率の半定量分析値が所定の含有率よりも大きい場合には、ステップＳ４に進む。次に、ステップＳ４において、定量分析条件として、当該新規検出元素を分析対象試料１における分析対象元素として追加することなく、残分元素として設定する。
【００２８】
標準試料１４が例えば鉄鋼である場合、主成分である鉄は残分元素とすべきであって分析対象元素とすべきでない元素であるが、その鉄がステップＳ２において新規検出元素として検出され得るので、ステップＳ３、Ｓ４により、そのような新規検出元素を半定量分析値に基づいて分析対象試料１における分析対象元素として追加することなく、残分元素としている。
【００２９】
次に、ステップＳ５において、ステップＳ４で残分元素として設定した新規検出元素以外にまだ新規検出元素があるか否かを確認して、なければ動作を終了し、あればステップＳ６に進む。次に、ステップＳ６において、新規検出元素ｋおよびあらかじめ設定された試料構成元素ｉ，ｊについてファンダメンタルパラメーター法により蛍光Ｘ線の吸収励起に関する理論マトリックス補正係数αｉｋ，αｉｊを計算し、その理論マトリックス補正係数αｉｋ，αｉｊ、新規検出元素ｋの半定量分析値Ｗｋおよびあらかじめ設定された試料構成元素ｉ，ｊの含有率Ｗｉ，Ｗｊに基づいて、分析対象元素ｉの分析値に対する新規検出元素ｋによる蛍光Ｘ線の吸収励起の影響度を、次式（１）により吸収励起影響度ΔＷｉ／Ｗｉとして計算する。
【００３０】
ΔＷｉ／Ｗｉ＝αｉｋＷｋ／（１＋ΣαｉｊＷｊ）      …（１）
【００３１】
なお、この計算においては、試料構成元素ｊにすべての新規検出元素ｋも含め、試料構成元素ｉ，ｊの含有率Ｗｉ，Ｗｊ（新規検出元素ｋの半定量分析値Ｗｋを含む）については、基本的に複数の標準試料１４における含有率、半定量分析値の平均値を用いるが、式（１）の吸収励起影響度ΔＷｉ／Ｗｉにおいて判定の対象となっている新規検出元素ｋの半定量分析値Ｗｋについては、複数の標準試料１４における最大値を用い、それ以外の試料構成元素ｉ，ｊの含有率Ｗｉ，Ｗｊ（判定の対象となっていない新規検出元素ｋの半定量分析値Ｗｋを含む）については、最大値を用いた半定量分析値Ｗｋとの合計含有率が１００％（mass％、以下同様）になるように調整する。
【００３２】
次に、ステップＳ７において、分析対象元素ｉごとに計算した吸収励起影響度ΔＷｉ／Ｗｉが、１つでも対応する所定の基準値よりも大きい場合、判定の対象となっている新規検出元素ｋについて影響ありとする。ここで、吸収励起影響度に対応する所定の基準値は、例えば、複数の標準試料１４における分析対象元素ｉの平均含有率が０．１％よりも大きい場合は０．００５とし、０．１％以下の場合は０．０２とする。
【００３３】
次に、ステップＳ８において、ステップＳ７で影響ありとされた場合には後述するステップＳ１１へ進み、ステップＳ７で影響ありとされなかった場合には、ステップＳ９に進む。次に、ステップＳ９において、あらかじめ記憶した重なり補正テーブルから分析対象元素ｉの分析線に対する新規検出元素ｋによる妨害線の重なり補正係数３γｉｋを呼び出し、その重なり補正係数３γｉｋ、新規検出元素ｋによる妨害線の理論強度ＴＩｋおよび分析対象元素ｉの分析線の理論強度ＴＩｉに基づいて、分析対象元素ｉの分析線に対する新規検出元素ｋによる妨害線の重なりの影響度を、次式（２）の重なり影響度３γｉｋＴＩｋ／ＴＩｉとして計算する。
【００３４】
３γｉｋＴＩｋ／ＴＩｉ      …（２）
【００３５】
ここで、分析対象元素ｉの分析線の理論強度ＴＩｉ、新規検出元素ｋによる妨害線の理論強度ＴＩｋは、ステップＳ６で用いたのと同様の新規検出元素ｋの半定量分析値Ｗｋおよびあらかじめ設定された試料構成元素ｉ，ｊの含有率Ｗｉ，Ｗｊに基づいて、ＦＰ法により計算される。
【００３６】
次に、ステップＳ１０において、分析対象元素ｉごとに計算した重なり影響度３γｉｋＴＩｋ／ＴＩｉが、１つでも対応する所定の基準値よりも大きい場合、判定の対象となっている新規検出元素ｋについて影響ありとする。ここで、重なり影響度に対応する所定の基準値は、例えば、ステップＳ７での吸収励起影響度ΔＷｉ／Ｗｉに対応する所定の基準値と同様に、複数の標準試料１４における分析対象元素ｉの平均含有率が０．１％よりも大きい場合は０．００５とし、０．１％以下の場合は０．０２とする。
【００３７】
次に、ステップＳ１１において、未判定の新規検出元素ｋが残っているか否かを確認し、残っていればステップＳ６に戻り、残っていなければステップＳ１２に進む。次に、ステップＳ１２において、定量分析条件として、影響ありとされた新規検出元素ｋを分析対象試料１における分析対象元素ｉとして追加して、動作を終了する。
【００３８】
さて、分析対象元素ｉとして追加する新規検出元素ｋについては、標準試料１４において既知の含有率（化学分析値）が設定されていないところ、分析対象試料１における定量演算方法としては、標準試料１４における追加した分析対象元素ｉの含有率としてステップＳ１で求めた同元素（新規検出元素ｋ）の半定量分析値Ｗｋを設定する検量線法もあるが、ゴニオメータ１０を走査させて測定したＸ線強度に基づく半定量分析値Ｗｋの精度は今一つ十分でない。
【００３９】
そこで、本実施形態の蛍光Ｘ線分析装置では、定量分析条件設定手段１３が、ステップＳ１２において、影響ありとされた新規検出元素ｋを分析対象試料１における分析対象元素ｉとして追加する際に、その新たな分析対象元素ｉについては、定量分析条件として、以下のような、あらかじめ記憶した装置感度定数ｋｉを用いるファンダメンタルパラメーター法による定量演算条件を設定する。この定量演算では、まず、次式（３）により、ゴニオメータ１０を固定して測定したＸ線強度ＩＭｉを、あらかじめ設定された感度ライブラリから呼び出した装置感度定数ｋｉを用いて理論強度スケールに換算し、換算測定強度ＴＩＭｉとする。
【００４０】
ＴＩＭｉ＝ｋｉＩＭｉ      …（３）
【００４１】
そして、次式（４）および（５）による繰り返し計算（逐次近似計算）を適切な収束条件で行う。ここで、ＴＩｉＰは分析対象元素ｉが１００％の純物質における理論強度、Ｗｉ(0) は初期含有率、Ｗｉ(n) はｎ回目の含有率、ＴＩｉｎは各元素のｎ回目の含有率による組成から計算した分析対象元素ｉについての理論強度、Ｗｉ(n+1) はｎ＋１回目の含有率、つまり定量分析値である。
【００４２】
Ｗｉ(0) ＝１００×ＴＩＭｉ／ＴＩｉＰ      …（４）
【００４３】
Ｗｉ(n+1) ＝Ｗｉ(n) ×ＴＩＭｉ／ＴＩｉｎ      …（５）
【００４４】
なお、式（４）および（５）による繰り返し計算と同時に、もともと定量分析条件に設定されていた分析対象元素ｉについては、検量線法の次式（６）および（７）による繰り返し計算が行われる。ここで、Ａ，Ｂは検量線定数、αｊは理論マトリックス補正係数である。ただし、式（４）〜（７）においては重なり補正項を省略している。また、式（５）の繰り返し計算において、理論強度ＴＩｉｎを計算するための組成の一部として、もともと定量分析条件に設定されていた分析対象元素ｉについては、式（７）によるｎ回目の含有率Ｗｉ(n) が用いられ、一方、式（７）の繰り返し計算において、加補正成分の含有率Ｗｊ(n) として、追加された新たな分析対象元素ｉについては、式（５）によるｎ回目の含有率Ｗｉ(n) が用いられる。
【００４５】
Ｗｉ(0) ＝ＡＩＭｉ＋Ｂ      …（６）
【００４６】
Ｗｉ(n+1) ＝（ＡＩＭｉ＋Ｂ）（１＋ΣαｊＷｊ(n)）      …（７）
【００４７】
この構成によれば、追加された新たな分析対象元素ｉについては、あらかじめ記憶した装置感度定数ｋｉを用いるファンダメンタルパラメーター法が適用され、ゴニオメータ１０を固定して測定したＸ線強度ＩＭｉに基づく、より精度の高い定量分析値Ｗｉ(n+1) を用いるので、全体としてより正確な分析ができる。
【００４８】
以上のように、本実施形態の蛍光Ｘ線分光装置によれば、標準試料１４の定性分析結果および半定量分析結果に基づいて、あらかじめ設定された試料構成元素以外の新規検出元素ｋについて、分析対象元素ｉの分析値に対する蛍光Ｘ線の吸収励起影響度ΔＷｉ／Ｗｉと、分析対象元素ｉの分析線に対する妨害線の重なり影響度３γｉｋＴＩｋ／ＴＩｉとから、分析対象元素ｉとして追加すべきか否かを判定する定量分析条件設定手段１１を備えているので、標準試料１４に含有率が不明な元素が含まれている場合でも、定量分析条件において分析対象元素ｉの適切な追加が自動的になされ、正確な分析ができる。
【００４９】
以上のとおり、図面を参照しながら好適な実施例を説明したが、当業者であれば、本件明細書を見て、自明な範囲内で種々の変更および修正を容易に想定するであろう。したがって、そのような変更および修正は、添付の請求の範囲から定まるこの発明の範囲内のものと解釈される。
【符号の説明】
【００５０】
１  分析対象試料
３  １次Ｘ線
５  ２次Ｘ線
１３  定量分析条件設定手段
１４  標準試料
【図１】
2017038701.tif 000003
【図２】
2017038701.tif 000004
【国際調査報告】
2017038701.tif 000005
2017038701.tif 000006